(57)【要約】【目的】照明器具用筐体を腐食の生じないものとする。【構成】耐腐食性を有する樹脂からなる本体１００と、この本体１００を開閉する耐腐食性を有する樹脂からなる蓋体２００と、この蓋体２００に設けられた開口部２１１に取り付けられる透光性を有する透光板３００と、前記本体１００と蓋体２００との間に設けられたヒンジ機構４００と、前記本体１００と蓋体２００との間に設けられ、閉じた状態の蓋体２００と本体１００との間をロックするロック機構５００とを備えており、前記ヒンジ機構４００とロック機構５００とは、耐腐食性を有する樹脂から構成されている。【選択図】      図１
2004227903.tif 000002
【特許請求の範囲】
【請求項１】
耐腐食性を有する樹脂からなる本体と、この本体を開閉する耐腐食性を有する樹脂からなる蓋体と、この蓋体に設けられた開口部に取り付けられる透光性を有する透光板と、前記本体と蓋体との間に設けられたヒンジ機構と、前記本体と蓋体との間に設けられ、閉じた状態の蓋体と本体との間をロックするロック機構とを具備しており、前記ヒンジ機構とロック機構とは、耐腐食性を有する樹脂からなることを特徴とする照明器具用筐体。
【請求項２】
前記ロック機構は、前記本体の縁部に設けられた本体側レール部と、前記蓋体の縁部に設けられ、蓋体が閉じられると、前記本体側レール部と接する蓋体側レール部と、蓋体が閉じられて接した状態にある両レール部をスライドして本体と蓋体とをロックするスライダとを具備したことを特徴とする請求項１記載の照明器具用筐体。
【請求項３】
外部に露出する部分がすべて耐腐食性を有する樹脂から構成されていることを特徴とする照明器具用筐体。
【請求項４】
前記ヒンジ機構は、本体又は蓋体の縁部に設けられたシャフトと、蓋体又は本体の縁部に設けられ、前記シャフトに係合する係合部とを具備しており、蓋体の本体に対する開角度が９０°未満の場合には、前記係合部は前記シャフトに係合していることを特徴とする請求項１、２又は３記載の照明器具用筐体。
【請求項５】
前記本体と蓋体との間には、蓋体の本体に対する開角度が９０°以上になることを防止する開防止手段が設けられていることを特徴とする請求項１、２、３又は４記載の照明器具用筐体。
【請求項６】
前記開防止手段は、耐腐食性を有する素材からなるワイヤ部材であることを特徴とする請求項５記載の照明器具用筐体。
【請求項７】
請求項１、２、３、４、５又は６記載の照明器具用筐体と、この照明器具用筐体の内部に収納される光源、反射板及び電気回路部とを具備したことを特徴とする照明器具。
【発明の詳細な説明】
【０００１】
【発明の属する技術分野】
本発明は、トンネルや海岸沿い等に設置される照明器具のための照明器具用筐体と、これを用いた照明器具とに関する。
【０００２】
【従来の技術】
例えば、トンネル用照明器具は、本体、この本体に開閉可能に取り付けられる蓋体及びこの蓋体の開口部に取り付けられる透光性を有する透光板とを有する照明器具用筐体と、この照明器具用筐体の内部に収納される光源、反射板及び電気回路部とを有している。
【０００３】
前記本体及び蓋体の間には、蓋体を本体に対して開閉可能に連結するヒンジ機構と、閉じた状態の蓋体を本体に対してロックするロック機構とが設けられている。
【０００４】
前記本体や蓋体は、例えば塗装が施されたステンレス板から構成されている。また、前記透光板には、例えば透光性のあるガラス板や樹脂板が使用される。
【０００５】
前記ヒンジ機構やロック機構は、ステンレス板等の耐腐食性を有する金属板やシャフトピン等から構成されており、ビス等で本体や蓋体に取り付けられている。
【０００６】
【特許文献１】
特開２００２−２７９８２２号公報（第３〜４頁  第５図）
【０００７】
【発明が解決しようとする課題】
しかしながら、従来のこの種の照明器具用筐体は、ヒンジ機構やロック機構が耐腐食性のあるステンレス板等から構成されているとはいえ、冬季に道路に散布される凍結防止剤や、自動車の排気ガス等により腐食を生じるおそれがある。かかるおそれは、トンネル内のみならず、塩害が発生する海外沿いの道路に設置される照明器具、屋外に設置される照明器具についても程度の差はあれ同様である。
【０００８】
本発明は、上記事情に鑑みて創案されたもので、腐食が生じない照明器具用筐体と、これを用いた照明器具とを提供することを目的としている。
【０００９】
【課題を解決するための手段】
本発明に係る照明器具用筐体は、耐腐食性を有する樹脂からなる本体と、この本体を開閉する耐腐食性を有する樹脂からなる蓋体と、この蓋体に設けられた開口部に取り付けられる透光性を有する透光板と、前記本体と蓋体との間に設けられたヒンジ機構と、前記本体と蓋体との間に設けられ、閉じた状態の蓋体と本体との間をロックするロック機構とを備えており、前記ヒンジ機構とロック機構とは、耐腐食性を有する樹脂からなる。
【００１０】
【発明の実施の形態】
図１は本発明の実施の形態に係る照明器具用筐体であって、蓋体が開いた状態の概略的斜視図、図２は本発明の実施の形態に係る照明器具用筐体であって、蓋体が閉じた状態の概略的斜視図、図３は本発明の実施の形態に係る照明器具用筐体であって、蓋体が閉じた状態の概略的斜視図、図４は本発明の実施の形態に係る照明器具用筐体を構成する本体の概略的斜視図、図５は本発明の実施の形態に係る照明器具用筐体を構成する本体の概略的平面図、図６は本発明の実施の形態に係る照明器具用筐体を構成する本体の図面であって、同図（Ａ）は概略的側面図、同図（Ｂ）は図５のＡ−Ａ線断面図、同図（Ｃ）は図５のＢ−Ｂ線断面図、図７は本発明の実施の形態に係る照明器具用筐体を構成する蓋体の概略的斜視図、図８は本発明の実施の形態に係る照明器具用筐体を構成する蓋体の概略的平面図、図９は本発明の実施の形態に係る照明器具用筐体を構成する蓋体の図面であって、同図（Ａ）は概略的側面図、同図（Ｂ）は図８のＡ−Ａ線断面図、同図（Ｃ）は図８のＢ−Ｂ線断面図、図１０は本発明の実施の形態に係る照明器具用筐体を構成するロック機構の一部であるスライダの図面であって、同図（Ａ）は概略的正面図、同図（Ｂ）が概略的側面図、同図（Ｃ）は同図（Ａ）のＡ−Ａ線断面図である。
【００１１】
図１１は本発明の蓋体の開閉の角度に制限を設けた他の実施の形態に係る照明器具用筐体の開いた状態を示す概略的斜視図、図１２は本発明の実施の形態に係る照明器具用筐体を用いた照明器具の取付状態を示す概略的説明図である。
【００１２】
本発明の実施の形態に係る照明器具用筐体Ａは、耐腐食性を有する樹脂からなる本体１００と、この本体１００を開閉する耐腐食性を有する樹脂からなる蓋体２００と、この蓋体２００に設けられた開口部２１１に取り付けられる透光性を有する透光板３００と、前記本体１００と蓋体２００との間に設けられたヒンジ機構４００と、前記本体１００と蓋体２００との間に設けられ、閉じた状態の蓋体２００と本体１００との間をロックするロック機構５００とを備えており、前記ヒンジ機構４００とロック機構５００とは、耐腐食性を有する樹脂から構成されている。
【００１３】
前記本体１００は、例えばＦＲＰ等の耐腐食性を有する樹脂から構成されている。かかる本体１００は、図４に示すように、周囲４辺が底面部１１０に対して上側方向に立ち上がって壁部１２０となった略矩形の薄皿状に形成されている。この本体１００の底面部１１０には、照明器具用筐体Ａをトンネル壁Ｔに固定するためのアングル７００（図１２参照）を取り付けるための複数（図面では４つ）の貫通孔１１１が開設されている。また、この本体１００の底面部１１０には、ナトリウムランプ等の光源（図示省略）、この光源の背後側に設けられる反射板（図示省略）、前記光源を点灯させるための電気回路部（図示省略）を取り付けるための貫通孔（図示省略）や取付アングル（図示省略）が設けられている。なお、上述の説明では、壁部１２０は、底面部１１０に対して上側方向に立ち上がっているとしたが、壁部１２０は曲面として構成されてもよいし、斜め方向に立ち上がることもある。
【００１４】
また、前記壁部１２０には、外部の電源（図示省略）を前記電気回路部に接続するためのケーブル（図示省略）が貫通する貫通孔１２１が開設されている。この貫通孔１２１には、照明器具用筐体Ａの内部に排気ガス等が侵入しないようにブッシュ等（図示省略）が取り付けられている。
【００１５】
一方、前記蓋体２００は、例えばＦＲＰ等の耐腐食性を有する樹脂から構成されている。かかる蓋体２００は、図７等に示すように、周囲４辺が底面部２１０に対して上側方向に立ち上がって壁部２２０となった略矩形の薄皿状に形成されている。この蓋体２００の底面部２１０には、前記光源からの光を外部に投射するための略矩形状の開口部２１１が開設されている。この開口部２１１には、ガラス板等の透光板３００が必要に応じて気密、水密にパッキン（図示省略）を介して取り付けられている。なお、この蓋体２００を本体１００に対して閉じた状態にすると、前記開口部２１１には光源が臨むようになっていることはもちろんである。なお、上述した説明では、透光板３００はパッキンを介して開口部２１１に取り付けられているとしたが、透光板３００を蓋体２００と一体に成形する場合には、パッキンがなくてもある程度の実用上問題のない水密性を得ることが可能である。
【００１６】
前記ヒンジ機構４００は、本体１００の縁部に設けられた丸棒状のシャフト４１０と、蓋体２００の縁部に設けられた２つの係合部４２０とを有している。前記シャフト４１０は、本体１００の縁部、すなわち１つの壁部１２０から若干外側に向かって立ち上がった複数（図面では３つ）のリブ４１１を介して本体１００と一体になっている。なお、このシャフト４１０及びリブ４１１は、本体１００の成形と同時に成形されるものである。
【００１７】
前記シャフト４１０と壁部１２０との間には、前記係合部４２０が嵌まり込むことができる程度の隙間Ｇが設けられている。この隙間Ｇは、シャフト４１０が前記リブ４１１を介して本体１００に連結されていることから形成されるものである。
【００１８】
また、前記係合部４２０は、蓋体２００の縁部、すなわち１つの壁部２２０から外側に向かって延出された部材であって、円筒形を縦方向に２分割した略樋状に形成されている。かかる係合部４２０は、前記リブ４１１を避けることができる位置に設けられている。また、この係合部４２０の厚さは、前記隙間Ｇより若干小さく設定されている。従って、この係合部４２０は、シャフト４１０に係合した状態で前記隙間Ｇにも嵌まり込むことができるのである。
【００１９】
さらに、前記係合部４２０は、円筒形を縦方向に２分割した略樋状の部材であるので、前記シャフト４１０に係合すると、係合部４２０の開放側が完全に上側を向かない限り、シャフト４１０から外れることがない。
【００２０】
また、前記蓋体２００の縁部、それも前記係合部４２０が設けられた壁部２２０と対向する壁部２２０の縁部には、ロック機構５００の一部を構成する蓋体側レール部５２０が設けられている。この蓋体側レール部５２０は、前記壁部２２０の中央を中心として前記壁部２２０の約２／４の長さの側面視略Ｌ字形状の部材である。かかる蓋体側レール部５２０の主要な部分は、前記壁部２２０の縁部から外側に向かって延出される蓋体側延出部５２１と、この蓋体側延出部５２１の外側縁部から前記壁部２２０と平行に垂下される蓋体側垂下部５２２とから構成されている。
【００２１】
また、前記蓋体側レール部５２０には、前記壁部２２０の中央に相当する部分に蓋体側レール部５２０を左右に分割する分割壁５２３が設けられている（図２、図８及び図９（Ｂ）参照）。この分割壁５２３は、後述するスライダ５３０のスライドを規制するものであり、前記壁部２２０と蓋体側延出部５２１と蓋体側垂下部５２２とに連結されている。なお、この蓋体側レール部５２０も、蓋体２００と一体に成形されている。
【００２２】
前記分割壁５２３の両側には、凸部５２４が設けられている。この凸部５２４は、後述するスライダ５３０の凹部５３１と対応するものであって、ロック機構５００を構成するスライダ５３０が振動等に起因して、ロック状態から外れないようにするものである。
【００２３】
また、前記本体１００の縁部、それも前記シャフト４１０が設けられた壁部１２０と対向する壁部１２０には、ロック機構５００を構成する本体側レール部５１０が設けられている。この本体側レール部５１０は、壁部１２０のほぼ全長にわたって壁部１２０の縁部から外側に向かって延出される本体側延出部５１１と、この本体側延出部５１１の外側縁部から前記壁部１２０と平行に垂下される本体側垂下部５１２と、前記蓋体側レール部５２０が嵌まり込む間隙５１４を設けて、前記本体側延出部５１１の外側縁部から前記本体側垂下部５１２とは逆の方向に突出された一対のスライダ退避部５１３とを有している。
【００２４】
前記スライダ退避部５１３は、前記壁部１２０の約１／４の長さに設定されている。また、このスライダ退避部５１３は、蓋体２００が閉じられると、一対のスライダ退避部５１３の間の間隙５１４に蓋体側レール部５２０が入り込み、両レール部５１０、５２０の各部と面一になるように設定されている。すなわち、蓋体側レール部５２０と本体側レール部５１０とは、蓋体２００が閉じられた状態では、１本のレールのようになり、スライダ５３０がスライド自在になるのである。
【００２５】
また、前記ロック機構５００の一部を構成するスライダ５３０は、図１０に示すように、側面視略凹字形状に形成されており、内側に本体側レール部５１０のスライダ退避部５１３を抱え込んでスライドできるようになっている。
【００２６】
かかるスライダ５３０の内側には、図１０（Ｃ）に示すように、前記凸部５２４に対応した凹部５３１が設けられている。すなわち、スライダ５３０が本体１００と蓋体２００とをロックした状態で、前記凹部５３１が凸部５２４に嵌まり込み、振動等に起因して、不用意にロック状態から外れないようにする。
【００２７】
また、本体１００の壁部１２０又は／及び蓋体２００の壁部２２０には、蓋体２００で本体１００を閉じた際に、閉塞された内部が気密、水密になるように、図示しないパッキンが設けられている。なお、前記パッキンを設けると、パッキンの反発力によって蓋体２００を閉じるのに過大な力を必要とすることが考えられる。この場合には、蓋体側レール部５２１を端部から中央に向かって登り傾斜になったテーパをもった形状に形成しておき、スライダ５３０で締め付けることによって次第に締付力が強くなるように構成することも可能である。
【００２８】
なお、上述した実施の形態では、蓋体２００の開口部２１１には透光板３００がパッキン等を介して取り付けられるとしたが、蓋体２００を成形する金型の開口部２１１に相当する箇所に予め透光板３００をセットしておき、蓋体２００の成形と同時に開口部２１１に透光板３００を取り付けるようにしてもよい。
【００２９】
すなわち、この照明器具用筐体Ａであると、外部に露出している部分のすべてが耐腐食性のある素材から構成されていることになる。
【００３０】
次に、上述した構成の照明器具用筐体Ａの開閉作業について説明する。
【００３１】
この照明器具用筐体Ａは、図１２に示すように、本体１００に取り付けられたアングル７００によって、トンネル壁Ｔに固定されている。
蓋体２００を閉じる場合には、図２に示すように、まず蓋体２００を本体１００に対して押し付ける。なお、この際、本体１００と蓋体２００とは、ヒンジ機構４００で連結されているので、蓋体２００をヒンジ機構４００を構成するシャフト４１０を中心として回動させることになる。
【００３２】
蓋体２００を閉じると、蓋体２００に設けられた蓋体側レール部５２０は、本体１００の本体側レール部５１０の一対の間隙５１４の間に嵌まり込む。すると、蓋体側レール部５２０と本体側レール部５１０とは、蓋体２００が閉じられた状態では、１本のレールのようになり、スライダ５３０がスライド自在になるのである。
【００３３】
この状態で、前記スライダ退避部５１３に位置するスライダ５３０を中央側に向かってスライドさせる。すると、スライダ５３０は、スライド退避部５１３から、本体側レール部５１０の本体側延出部５１１及び本体側垂下部５１２と蓋体側レール部５２０とを抱え込むようにして、本体１００と蓋体２００とをロックする（図３参照）。なお、スライダ５３０は、分割壁５２３に当接するとそれ以上のスライドが規制される。
【００３４】
蓋体２００を開ける場合には、上述したのとは逆に、スライダ５３０を外側へとスライドさせる。すると、スライダ５３０は、本体側レール部５１０と蓋体側レール部５２０との両者に係合してロックしている状態から、図２に示すように、本体側レール部５１０のスライダ退避部５１３にのみ係合している状態になるので、蓋体２００のロックが解除されることになる。
【００３５】
ロックを解除された蓋体２００を開いても、ヒンジ機構４００のシャフト４１０と係合部４２０とが係合しているために、蓋体２００は不用意に本体１００から落下することはない。
【００３６】
なお、上述した説明では、本体１００にヒンジ機構４００のシャフト４１０が、蓋体２００にヒンジ機構の係合部４２０がそれぞれ設けられているとしたが、逆であってもよいことはいうまでもない。
【００３７】
また、図１１に示すように、本体１００の底面部１１０と蓋体２００の底面部２１０との間に、蓋体の本体に対する開角度が９０°以上になることを防止する開防止手段としての、ワイヤ部材６００が掛け渡されていてもよい。このワイヤ部材６００があると、万が一、蓋体２００を開けているときにヒンジ機構４００が破損したとしても、ワイヤ部材６００によって蓋体２００の落下が防止されるので非常に安全性が高くなる。
【００３８】
なお、このワイヤ部材６００は、照明器具用筐体Ａの内部に収納される光源等に影響を与えない位置に設けられることは勿論である。また、このワイヤ部材６００には、耐腐食性のある繊維状のステンレスをワイヤー状に編んだものや、チェーン状にしたものが含まれる。また、ワイヤ部材６００の材質は上述のものに限られない。すなわち、照明器具用筐体Ａの内部は、密閉されているため、腐食性の雰囲気でないため、耐腐食性のある素材で構成しなくてもよいのである。
【００３９】
【発明の効果】
本発明に係る照明器具用筐体は、耐腐食性を有する樹脂からなる本体と、この本体を開閉する耐腐食性を有する樹脂からなる蓋体と、この蓋体に設けられた開口部に取り付けられる透光性を有する透光板と、前記本体と蓋体との間に設けられたヒンジ機構と、前記本体と蓋体との間に設けられ、閉じた状態の蓋体と本体との間をロックするロック機構とを備えており、前記ヒンジ機構とロック機構とは、耐腐食性を有する樹脂からなる。
【００４０】
従って、この照明器具用筐体であれば、本体、蓋体、ヒンジ機構及びロック機構のように外部に露出する部分すべてに耐腐食性のある樹脂を使用しているので、冬季に道路に散布される凍結防止剤や、自動車の排気ガス等により腐食を生じるおそれが皆無となる。
【００４１】
また、前記ロック機構は、前記本体の縁部に設けられた本体側レール部と、前記蓋体の縁部に設けられ、蓋体が閉じられると、前記本体側レール部と接する蓋体側レール部と、蓋体が閉じられて接した状態にある両レール部をスライドして本体と蓋体とをロックするスライダとを有している。
【００４２】
かかるロック機構であると、樹脂にて成形することが可能となる。
【００４３】
また、前記ヒンジ機構は、本体又は蓋体の縁部に設けられたシャフトと、蓋体又は本体の縁部に設けられ、前記シャフトに係合する係合部とを備えており、蓋体の本体に対する開角度が９０°未満の場合には、前記係合部は前記シャフトに係合している。
【００４４】
このため、メンテナンス時に蓋体を開けてもヒンジ機構を構成する係合部がシャフトに係合しているので、蓋体が落下することがない。
【００４５】
また、前記本体と蓋体との間に、蓋体の本体に対する開角度が９０°以上になることを防止する開防止手段が設けられていると、より確実に、メンテナンス時の蓋体の落下を防止することができる。
【００４６】
なお、前記開防止手段は、耐腐食性を有する素材からなるワイヤ部材から構成すると構成が簡単になる。
【００４７】
また、本発明に係る照明器具は、前記照明器具用筐体と、この照明器具用筐体の内部に収納される光源、反射板及び電気回路部とを有している。
【００４８】
かかる照明器具であると、トンネルや海岸沿い等に設置される照明器具として、耐腐食性を有しているので好適である。
【図面の簡単な説明】
【図１】本発明の実施の形態に係る照明器具用筐体であって、蓋体が開いた状態の概略的斜視図である。
【図２】本発明の実施の形態に係る照明器具用筐体であって、蓋体が閉じた状態の概略的斜視図である。
【図３】本発明の実施の形態に係る照明器具用筐体であって、蓋体が閉じた状態の概略的斜視図である。
【図４】本発明の実施の形態に係る照明器具用筐体を構成する本体の概略的斜視図である。
【図５】本発明の実施の形態に係る照明器具用筐体を構成する本体の概略的平面図である。
【図６】本発明の実施の形態に係る照明器具用筐体を構成する本体の図面であって、同図（Ａ）は概略的側面図、同図（Ｂ）は図５のＡ−Ａ線断面図、同図（Ｃ）は図５のＢ−Ｂ線断面図である。
【図７】本発明の実施の形態に係る照明器具用筐体を構成する蓋体の概略的斜視図である。
【図８】本発明の実施の形態に係る照明器具用筐体を構成する蓋体の概略的平面図である。
【図９】本発明の実施の形態に係る照明器具用筐体を構成する蓋体の図面であって、同図（Ａ）は概略的側面図、同図（Ｂ）は図８のＡ−Ａ線断面図、同図（Ｃ）は図８のＢ−Ｂ線断面図である。
【図１０】本発明の実施の形態に係る照明器具用筐体を構成するロック機構の一部であるスライダの図面であって、同図（Ａ）は概略的正面図、同図（Ｂ）が概略的側面図、同図（Ｃ）は同図（Ａ）のＡ−Ａ線断面図である。
【図１１】本発明の蓋体の開閉の角度に制限を設けた他の実施の形態に係る照明器具用筐体の開いた状態を示す概略的斜視図である。
【図１２】本発明の実施の形態に係る照明器具用筐体を用いた照明器具の取付状態を示す概略的説明図である。
【符号の説明】
１００    本体
２００    蓋体
２１１    開口部
３００    透光板
４００    ヒンジ機構
５００    ロック機構
Ａ        照明器具用筐体
【図１】
2004227903.tif 000003
【図２】
2004227903.tif 000004
【図３】
2004227903.tif 000005
【図４】
2004227903.tif 000006
【図５】
2004227903.tif 000007
【図６】
2004227903.tif 000008
【図７】
2004227903.tif 000009
【図８】
2004227903.tif 000010
【図９】
2004227903.tif 000011
【図１０】
2004227903.tif 000012
【図１１】
2004227903.tif 000013
【図１２】
2004227903.tif 000014